(57)【要約】【課題】哺乳動物の赤ちゃんが、あたかも雌親の乳房を吸っているのと同じような感触を与えることのできる、哺乳動物用の人工乳首付き縫い包みを提供するものである。【解決手段】縫い包み本体１を哺乳動物に模して形成すると共に、縫い包み本体１外側の、哺乳動物の乳や腹部分に相当する箇所２に人工乳首３を設けたものである。【選択図】          図１
2005065723.tif 000002
【特許請求の範囲】
【請求項１】
縫い包み本体を哺乳動物に模して形成すると共に、縫い包み本体外側の、哺乳動物の乳や腹部分に相当する箇所に人工乳首を設けたことを特徴とする哺乳動物用の人工乳首付き縫い包み。
【請求項２】
縫い包み本体を哺乳動物に模して形成すると共に、縫い包み本体外側の、哺乳動物の乳や腹部分に相当する箇所に人工乳首の付いた哺乳器を設けたことを特徴とする哺乳動物用の人工乳首付き縫い包み。
【請求項３】
開閉機構付きの縫い包み本体を哺乳動物に模して形成すると共に、縫い包み本体内部に柔軟性を有する素材からなる哺乳袋を収容し、且つ縫い包み本体外側の、哺乳動物の乳や腹部分に相当する箇所に人工乳首を哺乳袋の内部と連通するようにして設けたことを特徴とする哺乳動物用の人工乳首付き縫い包み。
【発明の詳細な説明】
【０００１】
【発明の属する技術分野】
本発明は、哺乳動物用の人工乳首付き縫い包みに関する。
【０００２】
【従来の技術】
従来、人間が哺乳動物（ペット）の赤ちゃんを育てる際、母乳を飲ませることができない場合は、人間の幼児に対する授乳に用いる哺乳瓶の中にペット用のミルクを入れ、哺乳瓶上部に設けられた人工乳首をペットに吸わせることによって哺乳瓶内のミルクを飲ませることが行なわれる。
【０００３】
【発明が解決しようとする課題】
しかしながら、従来の哺乳瓶は、人工乳首こそ、ゴムやシリコン等の柔軟な素材で形成されているものの、哺乳瓶本体は硬質のプラスチックで形成されているため、雌親の乳房と著しく触感が異なり、ペットの赤ちゃんが雌親の乳房からミルクを飲んでいる感触からは程遠いものであった。
【０００４】
本発明は、上記した従来技術の有する問題点を解消した哺乳動物用の人工乳首付き縫い包みを提供することを目的とする。
【０００５】
【課題を解決するための手段】
上記目的を解決するために、本発明に係る哺乳動物用人工乳首付き縫い包みは、請求項１では、縫い包み本体を哺乳動物に模して形成すると共に、縫い包み本体外側の、哺乳動物の乳や腹部分に相当する箇所に人工乳首を設けたことを特徴とする。
【０００６】
請求項２では、縫い包み本体を哺乳動物に模して形成すると共に、縫い包み本体外側の、哺乳動物の乳や腹部分に相当する箇所に人工乳首の付いた哺乳器を設けたことを特徴とする。
【０００７】
請求項３では、開閉機構付きの縫い包み本体を哺乳動物に模して形成すると共に、縫い包み本体内部に柔軟性を有する素材からなる哺乳袋を収容し、且つ縫い包み本体外側の、哺乳動物の乳や腹部分に相当する箇所に人工乳首を哺乳袋の内部と連通するようにして設けたことを特徴とする。
【０００８】
【発明の実施の形態】
以下、本発明の実施の形態について図面を参照して詳細に説明する。
図１は、本発明に係る哺乳動物用の人工乳首付き縫い包みの実施形態１における正面図を示し、図２は、同上の底面図を示し、図３は、図１のＡ−Ａ矢視拡大断面図を示し、図４は、実施形態２における同上正面図を示し、図５は、同上の底面図を示し、図６は、図４のＢ−Ｂ矢視拡大断面図を示し、図７は、実施形態３における同上正面図を示し、図８は、同上の底面図を示し、図９は、図７のＣ−Ｃ矢視拡大断面図を示す。
【０００９】
（実施形態１）
図１〜図３に示したように、縫い包み本体１を犬、猫、うさぎその他の哺乳動物に模して形成すると共に、縫い包み本体１外側の、哺乳動物の乳や腹部分にだいたい相当する箇所２に人口乳首３を設けたものである。
【００１０】
縫い包み本体１の哺乳動物の乳や腹部分にだいたい相当する箇所２は、柔らかいゴムシート２ａにて形成され、その他の部分は柔らかい毛４で覆われている。
【００１１】
そして、縫い包み本体１のゴムシート２ａの外側には、ゴムやシリコン等の柔軟材で形成された人工乳首３が取り付けられている。
【００１２】
この人工乳首３の数は一個でも複数個（図示例では２個）で良い。また、この人工乳首３は、ゴムシート２ａに対して、無害な接着剤にて固定しても良いが、図示のように下面に人工乳首３の付いたねじ蓋５を設け、このねじ蓋５をゴムシート２ａに固定された外周にねじ部を有する筒状の支持部材６に螺合することによって脱着自在に取り付けることもできる。
【００１３】
本実施形態１における、人工乳首３は幼児用のいわゆる、おしゃぶりに相当するものである。哺乳動物の赤ちゃんに対応する種類の動物の縫い包み本体１に触れさせながら人工乳首３をくわえさせることで、あたかも雌親の乳房を吸っているような感触を哺乳動物の赤ちゃんに与えることができる。
【００１４】
（実施形態２）
図４〜図６に示したように、縫い包み本体１を犬、猫、うさぎその他の哺乳動物に模して形成すると共に、縫い包み本体１外側の、哺乳動物の乳や腹部分にだいたい相当する箇所２に人工乳首３の付いた哺乳器７を設けたものである。
【００１５】
実施形態１と同様、縫い包み本体１の哺乳動物の乳や腹部分にだいたい相当する箇所２は、柔らかいゴムシート２ａにて形成され、その他の部分は柔らかい毛４で覆われている。
【００１６】
そして、縫い包み本体１のゴムシート２ａの外側には、先端に人工乳首３の付いた哺乳器７が取り付けられている。この哺乳器５の数は一個でも複数個（図示例  では２個）でも良い。
【００１７】
また、この哺乳器７は、小型の円筒状の容器、例えば幼児用哺乳瓶の３分の１位の高さの下部開口の容器にて形成され、該容器の開口部にねじ蓋８が螺合されている。人工乳首３は、容器６と連通するようにねじ蓋７外面に一体に設けられている。
【００１８】
図示例では、人工乳首３はねじ蓋８に一体に設けられるが、哺乳器７は縫い包み本体１のゴムシート２ａへ図示のように接着剤等にて固定しても、また、不図示のねじや嵌め込み手段によって着脱自在に取り付けることもできる。
【００１９】
哺乳器７の内部に哺乳動物用のミルクを入れ、ねじ蓋８を螺合した後、ねじ蓋８に取り付けた人工乳首３を赤ちゃんにくわえさせる。この時も実施形態１と同様、哺乳動物の赤ちゃんに対応する種類の動物の縫い包み本体１に触れさせることで、あたかも雌親の乳房からミルクを飲んでいるような感触を哺乳動物の赤ちゃんに与えることができる。
【００２０】
（実施形態３）
図７〜図９に示したように、開閉機構９付きの縫い包み本体１を哺乳動物に模して形成すると共に、縫い包み本体１の内部に、ゴムシート等からなる柔軟性を有する素材から成る哺乳袋１０を収容し、且つ縫い包み本体１外側の、哺乳動物の乳や腹部分にだいた相当する箇所２のゴムシート２ａに、人工乳首３を哺乳袋１０内部と連通するようにして設けたものである。
【００２１】
開閉機構９としては、ファスナー、ボタン、マジックテープ（登録商標）などが好適である。これらを縫い包み本体１の背中部分に設け、開閉自在とする。
【００２２】
縫い包み本体１外側の哺乳動物の乳や腹部分の箇所２以外は毛４で覆われていることは実施形態１、２と同様である。
【００２３】
そして、縫い包み本体１外側の哺乳動物の乳や腹部分にだいたい相当する箇所２のゴムシート２ａには、一個ないし複数個の開口１１が設けられている。また、縫い包み本体１内部に収容された哺乳袋１０の下側に一体に連通、突設した外面にねじ部を有する筒状の支持部材１２が前記開口１１より外部に露出しており、この支持部材１２の開口部にねじ蓋１３が螺合されている。人工乳首３は、哺乳袋１０と連通するようにねじ蓋１３外面に取り付けられている。
【００２４】
本実施形態においても、人工乳首３の哺乳袋１０に対する取り付け手段は、図示のようなねじによる着脱方式の外に接着剤による固定方式でも良い。
【００２５】
ミルクの取り入れは哺乳袋１０の上部に設けたキャップ付きのミルク注入口１４から行われるが、脱着式の人工乳首３が使用されている場合は人工乳首３を取り外して行うことができる。
【００２６】
縫い包み本体１の開閉機構９を開け、ミルクを入れた哺乳袋１０を縫い包み本体１内部に収容すると共に、人工乳首３部分を縫い包み本体１の開口１１から外部に露出させる。
【００２７】
そして、哺乳動物の赤ちゃんにその人工乳首３をくわえさせ、縫い包み本体１の外側から哺乳袋１０を押せば、哺乳袋１０内のミルクが人工乳首３から押し出されるため、赤ちゃんはミルクを飲むことができる。
【００２８】
実施形態１、２同様、この時も哺乳動物の赤ちゃんに対応する種類の動物の縫い包み本体１に触れさせることで、あたかも雌親の乳房からミルクを飲んでいるような感触を哺乳動物の赤ちゃんに与えることができる。
【００２９】
なお、上記の実施の形態それぞれにおいて付記した符号は、図面中に記載した構成各部を示す部分との参照を容易にするために付したもので、図面中の符号によって示された構造・形状に本発明が限定されるものではない。
【００３０】
【発明の効果】
本発明は、以上詳述したように構成されるものであるから、各請求項ごとに下記のような効果を奏する。
【００３１】
（１）請求項１によれば、哺乳動物の赤ちゃんに動物の縫い包みに触れさせながら人工乳首をくわえさせることができるため、あたかも雌親の乳房を吸っているような心地よい感触を哺乳動物の赤ちゃんに与えることができる。
【００３２】
（２）請求項２によれば、哺乳動物の赤ちゃんに動物の縫い包みに触れさせながら哺乳器の人工乳首からミルクを飲ませることができるため、あたかも雌親の乳房を吸ってミルクを飲んでいるような心地良い感触を哺乳動物の赤ちゃんに与えることができる。また、人工乳首の付いた哺乳器は縫い包み本体の外側に取り付けられるため、組み立てが容易で、且つ製作コストも安くすることができる。
（３）請求項３によれば、柔軟性素材からなる哺乳袋を縫い包み本体に収容し、人工乳首のみが縫い包み本体外側に取り付けられるものであるから、縫い包み本体がより雌親の外形に近いものとなり、これに触れさせながら哺乳動物の赤ちゃんに人工乳首からミルクを飲ませれば、より一層雌親の乳房を吸っているような心地良い感触を哺乳動物の赤ちゃんに与えることができる。また、哺乳袋は縫い包み本体の容積の範囲内で大きく形成することができるため、大量のミルクを収納することができる。したがって、哺乳袋に対するミルク注入数を少なくすることができる分面倒な手間が省け、作業性の向上が図れる。さらに、哺乳袋は縫い包みに設けた開閉機構から容易且つ迅速に出し入れができ、しかも縫い包みの密閉により衛生的に保持することができる。
【図面の簡単な説明】
【図１】本発明に係る哺乳動物用の人工乳首付き縫い包みの実施形態１における正面図を示す。
【図２】同上の底面図を示す。
【図３】図１のＡ−Ａ矢視拡大断面図を示す。
【図４】実施形態２における同上正面図を示す。
【図５】同上の底面図を示す。
【図６】図４のＢ−Ｂ矢視拡大断面図を示す。
【図７】実施形態３における同上正面図を示す。
【図８】同上の底面図を示す。
【図９】図７のＣ−Ｃ矢視拡大断面図を示す。
【符号の説明】
１    縫い包み本体
２    哺乳動物の乳や腹部分に相当する箇所
３    人工乳首
７    哺乳器
９    開閉機構
１０  哺乳袋
【図１】
2005065723.tif 000003
【図２】
2005065723.tif 000004
【図３】
2005065723.tif 000005
【図４】
2005065723.tif 000006
【図５】
2005065723.tif 000007
【図６】
2005065723.tif 000008
【図７】
2005065723.tif 000009
【図８】
2005065723.tif 000010
【図９】
2005065723.tif 000011